(57)【要約】付加的な光吸収炭素層（１０５）を用いて修復された吸収層（１０７）を有するマスク（４０１）を使用して、半導体ウエハ（４１９）上のフォトレジスト層（４１７）をパターンニングする。光吸収炭素層（１０５）は、修復プロセスにおいて使用されるイオンを収集する。修復が完了した後、吸収層（１０７）で覆われていない炭素層（１０５）部分を除去することによって、炭素層（１０５）内に存在するイオンが除去される。フォトレジスト層（４１７）上に露光されるべきパターンを有する吸収層（１０７）は、イオンを含んだ炭素層（１０５）部分を除去する際のマスクとしても作用する。使用される特定の波長において不透過性を有するイオンは、そこを光が通過して、フォトレジスト（４１７）へ到達するマスク領域から除去される。バッファ（１０５）層は、境界における反射の問題を回避するために、吸収性を有するよう形成されている。【特許請求の範囲】
【請求項１】
透明基板と、
パターン化された吸収層と、
前記透明基板と、パターン化された吸収層との間に配置されたバッファ層と、同バッファ層は、パターン化された吸収層から転写されたパターンを有することと、
を備える光リソグラフィー用マスク。
【請求項２】
前記バッファ層は、少なくとも水素を含有しない請求項１に記載のマスク。
【請求項３】
光学放射を用いてウエハ上のフォトレジストをパターンニングする方法であって、
透明基板と、吸収層と、前記透明基板と吸収層との間に配置されたバッファ層とを有するマスクを形成する工程と、
前記吸収層をエッチングする工程と、
前記吸収層をエッチングした後、バッファ層をエッチングする工程と、
前記バッファ層をエッチングした後、前記マスクで半導体ウエハ上のフォトレジスト層をパターンニングする工程とを含み、
前記パターンニングの工程は、マスクの透明基板に光学放射を通過させる工程を含む方法。
【請求項４】
前記吸収層のエッチング後、バッファ層をエッチングするに先だって、マスクの吸収層を検査する工程を含む請求項３に記載の方法。
【請求項５】
前記検査工程の後、吸収層を変更して、パターンを有し、かつ変更したパターン化された吸収層を形成する工程を含み、
前記バッファ層をエッチングする工程は、前記パターンをバッファ層内に転写する工程を含む請求項４に記載の方法。
【請求項６】
光学放射を用いてウエハ上のフォトレジストをパターンニングする方法であって、
炭素を含有する材料を透明基板上にスパッタリングしてバッファ層を形成する工程と、
前記バッファ層上に吸収層を形成する工程と、
前記吸収層をエッチングして、パターン化された吸収層を形成する工程と、
前記パターン化された吸収層を検査する工程と、
前記検査工程の後、パターン化された吸収層を変更して、パターンを有し、かつ変更したパターンされた化吸収層を形成する工程と、
前記パターンをバッファ層内に転写する工程と、
前記転写工程の後、前記マスクで半導体ウエハ上のフォトレジスト層をパターンニングする工程と、同パターンニングの工程は、マスクの透明基板に光学放射を通過させる工程を含む方法。
【発明の詳細な説明】
【技術分野】
【０００１】
本発明は透過マスクを使用して集積回路を製造する方法に関し、より詳細には、修復可能な透過マスクを使用して集積回路を製造する方法に関する。
【背景技術】
【０００２】
透過マスクは、集積回路の製造プロセスおいて今尚重要な部分を占め、寸法の縮小に伴い、これら透明マスクは、製造プロセスにおいて益々重要なものとなっており、特に欠陥が存在しないマスクを製造することは、益々困難になっている。半導体製造プロセスでの欠陥フリー要求に応じて、透過マスクは、多くの場合、商業的に入手可能な集束イオンビーム（ＦＩＢ）装置により修復される。この技術は非常に正確であるが、照射源周波数の波長が益々縮小されるにつれて、望ましくない副効果が生じ得る。即ち、寸法が縮小されるにつれて、高波長で不可視であった欠陥部が、低波長で不透明な部分となる可能性がある。
【発明の開示】
【発明が解決しようとする課題】
【０００３】
従って、集積回路の製造プロセスに使用される、低波長の照射光による透過マスクの修復について改良する必要がある。
【課題を解決するための手段】
【０００４】
本発明は例として説明され、類似する参照番号が類似する要素を示す添付の図面により限定されるものではない。
当業者は図面中の要素が簡略さと明確さとを目的に図示され、必ずしも等尺に描かれていないことを理解する。例えば、図面中の数個の要素の寸法は、本発明の実施形態のより深い理解を補助するために、他の要素に関して誇張されている場合がある。
【０００５】
一実施形態において、半導体ウエハ上のフォトレジスト層は、吸収層を伴うマスクを使用してパターンニングされ、このマスクは修復プロセス中に使用されるイオンを収集する付加的な光吸収炭素層を用いて修復されている。修復の完了後、炭素層中に存在するイオンは、吸収層により覆われていない炭素層部分を除去することによって除去される。従って、フォトレジスト層上に露光されるべきパターンを含む吸収層は、イオンを含む炭素層部分を除去する際にマスクとしても作用する。以上のことは、図面を参照する以下の説明により、より深く理解される。
【発明を実施するための最良の形態】
【０００６】
図１に、透明基板１０３と、バッファ層１０５と、パターン化された吸収層１０７とを有するマスク１０１を示す。パターン化吸収層１０７には、空隙１０９，１１１，１１３，１１５と、欠陥部１１７と、不要部１１９とが存在する。一実施形態にて、透明基板１０３は酸化ケイ素からなり、バッファ層１０５はアモルファスカーボンからなり、吸収層１０７は、バッファ層１０５の反対側の表面上に酸化／窒化クロムの被膜を有するクロムからなる。バッファ層１０５のアモルファスカーボンは、スパッタ堆積により形成され得る。スパッタ堆積は、バッファ層の密度が１〜３ｇ／ｃｍ３の間で変動し得るように制御され得る。密度は、公知のように、屈折率と消散係数とに関連する。一般には、密度が高い方がよいが、高密度はダイアモンド形成とそれに付随する望ましくない応力とを発生させる傾向を有する。密度は２〜２．２ｇ／ｃｍ３の間で選択されることが好ましい。このプロセスでは、補助となり得る、又は少なくとも害のない少量の他の材料が存在してもよ
い。従って、バッファ層は、ほぼアモルファスカーボンから構成されることが好ましく、少量の他の材料を含有しても、又はしなくても良い。
【０００７】
吸収層１０７は、別の一吸収組成物からなっていてもよい。目下考慮される数種の組成物としては、窒化ケイ素タンタル、酸化ケイ素タンタル、窒化ホウ素タンタル、窒化タンタル、酸化タンタルが挙げられる。同様に、透明層１０３に他の透明な組成物を使用してもよい。その例として、フッ素添加酸化ケイ素が挙げられる。バッファ層１０５としてアモルファスカーボン以外の他の材料も使用し得る。バッファ層１０５の望ましい特徴として、修復中にイオン吸収材として有効で、修復後に除去可能で、マスクが半導体ウエハ上のフォトレジストのパターンニングに使用される際に用いられる周波数の光を吸収することが挙げられる。
【０００８】
欠陥部１１７は、吸収層１０７のパターンニング時に、マスク上に存在した粒子が原因であるものと想定される。欠陥部は吸収層１０７のパターンニング中にエッチマスクとして作用するため、欠陥部１１７の下部に吸収層１０７の不要部１１９が存在する。この例では、不要部はマスクとして作用する欠陥部から発生するが、別の原因で発生する場合もある。そのような別の原因の一つには、書き込み誤りがある。欠陥部１１７と不要部１１９とは、商業的に入手可能な検査器具を用いてマスクを検査することにより発見される。
【０００９】
図２に、欠陥部１１７と不要部１１９とを除去する修復作業を実行した後のマスク１０１を示す。しかしながら、集束イオンビーム（ＦＩＢ）プロセスにてガリウムイオンを用いる通常の修復プロセスを実行する結果、ガリウムイオンが吸収層１０７を貫通する。このとき、貫通したガリウムイオンは、ＦＩＢプロセスにて本来発生する打ち込みによって、不要部１１９の下部に位置するバッファ層１０５の領域２０３に存在する。これら打ち込まれたガリウムイオンは、４３６ｎｍのｇ線波長を殆ど吸収しない。しかしながら、ガリウムイオンは２４８ｎｍ等のより短い波長を吸収する。この吸収特性は、波長が例えば２４８ｎｍ等から、より短くされるに従って強力になる。従って、短波長においては、ガリウムの存在は除去すべき欠陥となる。特に１２０〜４００ｎｍの波長においては、光がマスク１０１を通過することが意図される領域からガリウムイオンを除去することは極めて重要である。
【００１０】
図３に、領域２０３を除去した後のマスク１０１を示す。このプロセスは、アモルファスカーボンの除去に有効な酸素プラズマ等の化学物質により実行される。吸収層１０７のパターンレジデントは、バッファ層１０５のエッチング中、マスクとして使用される。従って、バッファ層１０５は、吸収層１０７と同一のパターンにパターンニングされる。このように、バッファ層１０５はＦＩＢプロセス中に生成されたイオンの吸収に有効である一方、吸収層のパターンを変更することなく容易に除去され得る。ガリウムイオンのいくつかが吸収層１０７の残留部の下部にも到達し得る。これらの位置内のガリウムイオンは、該位置では吸収が所望されるため害を生じない。
【００１１】
図４に、マスク１０１を使用して半導体ウエハ４１９上のフォトレジスト４１７をパターンニングする配置４０１を示す。光源４０３は、所望の波長における光学放射（光）をマスク１０１に提供し、マスク１０１は、吸収層１０７とバッファ層１０５とに存在する所望のパターンに従って光を遮蔽する。マスク１０１を通過したパターン化された光は、次いで光学系４１３にて処理された後、フォトレジスト４１７に受容される。光学系は、通常と同様に、像を縮小させる縮小光学系が好ましい。フォトレジスト４１７はマスク１０１に存在するパターンに従って露光される。このプロセスにて、バッファ層１０５は無反射であることが好ましい。反射は１２％以下である必要がある。これは、光を吸収することにより最良に実行される。バッファ層１０５が吸収性を有さない場合、界面にて反射が発生するものと想定される。反射により、パターンに従ってマスク１０１を通過するこ
とを意図される光と不要な干渉が発生し得る。このことは望ましくなく、また所望のパターンの端部においてフォトレジストの露光が不完全になり得る。反射は相殺され得るが、バッファ層１０５の厚さを注意深く選択かつ制御する必要があるものと想定される。
【００１２】
前述の明細書において、特定の実施形態を参照に本発明を説明してきた。しかしながら、当業者は特許請求の範囲に記載される本発明の範囲から逸脱せずに様々な改良及び変更を為し得ることを理解する。例えば、このようなプロセス及び構成は、修復以外の場合にも使用され得る。マスクの改良は、例えばトランジスタ特性又はライン幅を変更する実験にて有用であり得る。このマスクの構成、製造方法、及び半導体の製造プロセスは、そのような実験を実行可能にし得る有用な改良物であり得る。また、吸収層１０７に一部分を追加することも、改良のうちに含まれ得る。一部分を追加する場合、材料が、追加領域に隣接する領域内に打ち込まれる重ね塗り（overspray）により問題が発生する。従って、
これら隣接領域は、除去することが望ましい不要な不透明材料を含み得る。それ故、明細書と図面とは限定的なものではなく説明として考慮されるべきであり、全変更物は本発明の範囲内に包含されるものとする。
【図面の簡単な説明】
【００１３】
【図１】プロセス中の一段階におけるマスクの断面図。
【図２】プロセス中の次の段階におけるマスクの断面図。
【図３】完成後のマスクの断面図。
【図４】マスクを用いて半導体ウエハ上のフォトレジストをパターンニングする装置。
【図１】
2006516052.tif 000002
【図２】
2006516052.tif 000003
【図３】
2006516052.tif 000004
【図４】
2006516052.tif 000005
【国際調査報告】
2006516052.tif 000006
2006516052.tif 000007